(57)【要約】【課題】大容量データを持つ通信機器から無線通信によりデータを取得する際に、通信接続時間を短くして通信機器側のデータを迅速に確認することができる情報処理装置を提供する。【解決手段】データの記憶領域を有する通信機器２Ａから無線通信によりデータを取得する情報処理装置１Ａが、通信機器２Ａが無線通信により接続されたことを検出する検出手段と、該検出手段が前記接続を検出する毎に通信機器２Ａから予め規定した量のデータを取得する制御手段と、を備える。【選択図】図２
2009302656.tif 000002
【特許請求の範囲】
【請求項１】
データの記憶領域を有する通信機器から無線通信によりデータを取得する情報処理装置であって、
通信機器が無線通信により接続されたことを検出する検出手段と、
該検出手段が前記接続を検出する毎に通信機器から予め規定した量のデータを取得する制御手段と、を備えることを特徴とする情報処理装置。
【請求項２】
通信機器を識別する識別手段を備え、
通信機器との無線通信が切断されてから再接続された通信機器が前記識別手段により同一の通信機器と識別された場合に、前記制御手段は、前記切断する前に取得したデータの続きとなる前記規定量のデータを前記同一の通信機器から取得する、ことを特徴とする請求項１に記載の情報処理装置。
【請求項３】
通信機器との無線通信が切断されてから再接続された通信機器が前記識別手段により異なる通信機器と識別された場合に、前記制御手段は、前記異なる通信機器から前記規定量の先頭データを取得する、ことを特徴とする請求項１又は２に記載の情報処理装置。
【請求項４】
前記制御手段は、通信機器から前記規定量のデータを取得してから同一の通信機器との無線通信による接続が一定期間を超えた場合に、前記取得したデータの続きとなる前記規定量のデータを前記同一の通信機器から取得する、ことを特徴とする請求項１〜３のいずれか一項に記載の情報処理装置。
【請求項５】
前記制御手段は、通信機器から前記規定量のデータを取得してから同一の通信機器との無線通信による接続が一定期間を超えた場合に、前記取得したデータとは異なる種類の前記規定量のデータを前記同一の通信機器から取得する、ことを特徴とする請求項１〜３のいずれか一項に記載の情報処理装置。
【請求項６】
データの記憶領域を有する通信機器から無線通信によりデータを取得する情報処理装置の制御方法であって、
通信機器が無線通信により接続されたことを検出する検出ステップと、
該検出ステップで前記接続を検出する毎に通信機器から予め規定した量のデータを取得する取得ステップと、を備えることを特徴とする情報処理装置の制御方法。
【請求項７】
通信機器を識別する識別ステップを備え、
通信機器との無線通信が切断されてから再接続された通信機器が前記識別ステップで同一の通信機器と識別された場合に、前記取得ステップで、前記切断する前に取得したデータの続きとなる前記規定量のデータを前記同一の通信機器から取得する、ことを特徴とする請求項６に記載の情報処理装置の制御方法。
【請求項８】
通信機器との無線通信が切断されてから再接続された通信機器が前記識別ステップで異なる通信機器と識別された場合に、前記取得ステップで、前記異なる通信機器から前記規定量の先頭データを取得する、ことを特徴とする請求項６又は７に記載の情報処理装置の制御方法。
【請求項９】
前記取得ステップは、通信機器から前記規定量のデータを取得してから同一の通信機器との無線通信による接続が一定期間を超えた場合に、前記取得したデータの続きとなる前記規定量のデータを前記同一の通信機器から取得する、ことを特徴とする請求項６〜８のいずれか一項に記載の情報処理装置の制御方法。
【請求項１０】
前記取得ステップは、通信機器から前記規定量のデータを取得してから同一の通信機器との無線通信による接続が一定期間を超えた場合に、前記取得したデータとは異なる種類の前記規定量のデータを前記同一の通信機器から取得する、ことを特徴とする請求項６〜８のいずれか一項に記載の情報処理装置の制御方法。
【請求項１１】
データの記憶領域を有する通信機器から無線通信によりデータを取得する情報処理装置の制御プログラムであって、
通信機器が無線通信により接続されたことを検出する検出ステップと、
該検出ステップで前記接続を検出する毎に通信機器から予め規定した量のデータを取得する取得ステップと、をコンピュータに実行させることを特徴とする情報処理装置の制御プログラム。
【発明の詳細な説明】
【技術分野】
【０００１】
本発明は、例えばカード型の記録媒体から無線通信によりデータを取得する情報処理装置、情報処理装置の制御方法及び情報処理装置の制御プログラムに関する。
【背景技術】
【０００２】
デジタルカメラやカメラ付携帯電話機などでは、動画や静止画を撮影して撮影した画像データを記録媒体に格納する。この場合、記録媒体は、使用する機器に応じて使い分けることもあるが、同一の機器で複数の記録媒体を使い分けることもある。
【０００３】
例えば、デジタルカメラの場合、カード型の記録媒体が使われることが多く、記録媒体の大容量化と低価格化により、複数枚の記録媒体を所有し、被写体、撮影日時、イベント等で使い分けることがある。
【０００４】
しかし、このようなカード型の記録媒体は、多くの場合はＳＤカードやコンパクトフラッシュ（登録商標）のように小型のメモリカードであるため、ラベル印刷やメモ書きするスペースがなく、どのカードにどのような画像が入っているかを判断することが困難である。
【０００５】
このような場合、一般に、記録媒体を撮影した機器やＰＣ（パーソナルコンピュータ）に装填して記録内容を確認することになるが、画像を表示するまでにユーザが煩わしい操作をしなければならない等の不都合がある。
【０００６】
そこで、画像を表示するまでの煩わしい操作を軽減するために、記録媒体及びデジタルカメラにそれぞれ無線通信部を備えたデジタルカメラシステムが提案されている（特許文献１）。この提案では、記録媒体に格納されたデータのうちの代表的な縮小画像データを無線通信によりデジタルカメラ側で取得する。
【特許文献１】特開２００６−１４０６３０号公報
【発明の開示】
【発明が解決しようとする課題】
【０００７】
しかし、上記特許文献１では、代表的な縮小画像データだけをデジタルカメラ側で取得するため、取得した縮小画像データが確認したい内容と一致しているとは限らないという問題がある。一方で、記録媒体に格納された全てのデータをデジタルカメラ側で取得してその内容確認しようとすると、記録媒体が大容量で大量にデータが格納されている場合は、長時間に渡って無線通信の接続状態を維持していなければならない。このため、記録媒体に格納されたデータをデジタルカメラ側で迅速に確認することができないという問題がある。
【０００８】
そこで、本発明は、大容量データを持つ通信機器から無線通信によりデータを取得する際に、通信接続時間を短くして通信機器側のデータを迅速に確認することができる情報処理装置、情報処理装置の制御方法及び制御プログラムを提供することを目的とする。
【課題を解決するための手段】
【０００９】
上記目的を達成するために、本発明の情報処理装置は、データの記憶領域を有する通信機器から無線通信によりデータを取得する情報処理装置であって、通信機器が無線通信により接続されたことを検出する検出手段と、該検出手段が前記接続を検出する毎に通信機器から予め規定した量のデータを取得する制御手段と、を備えることを特徴とする。
【００１０】
本発明の情報処理装置の制御方法は、データの記憶領域を有する通信機器から無線通信によりデータを取得する情報処理装置の制御方法であって、通信機器が無線通信により接続されたことを検出する検出ステップと、該検出ステップで前記接続を検出する毎に通信機器から予め規定した量のデータを取得する取得ステップと、を備えることを特徴とする。
【００１１】
本発明の情報処理装置の制御プログラムは、データの記憶領域を有する通信機器から無線通信によりデータを取得する情報処理装置の制御プログラムであって、通信機器が無線通信により接続されたことを検出する検出ステップと、該検出ステップで前記接続を検出する毎に通信機器から予め規定した量のデータを取得する取得ステップと、をコンピュータに実行させることを特徴とする。
【発明の効果】
【００１２】
本発明によれば、通信機器から無線通信により一度に取得するデータ量を制限することで、大容量データを持つ通信機器からデータを取得する場合であっても、無線通信の接続時間を短くして通信機器側のデータを迅速に確認することができる。
【発明を実施するための最良の形態】
【００１３】
以下、本発明の実施形態を図面を参照して説明する。
【００１４】
（第１の実施形態）
図１は、本発明の情報処理装置の第１の実施形態であるデジタルカメラを説明するためのブロック図である。
【００１５】
本実施形態のデジタルカメラ１Ａは、撮像部１が光学系レンズ、ＣＣＤ等の撮像素子、オートフォーカス機構、ズーム機構等を有し、カメラ制御部３の指示に従い、被写界に対して焦点や光量等を調整する。そして光学レンズを通して結像された被写界の光学像を撮像素子で映像信号に変換し、カメラ信号処理部２に送出する。
【００１６】
カメラ信号処理部２は、カメラ制御部３の指示に従い、上記映像信号に所定の信号処理を施して、記録系信号処理部６に送出する。操作部１３の一部は、カメラ系に関する各種スイッチ、ダイヤル（ＡＦオン／オフ、ＡＥオート／ロック、プログラムＡＥ、ズーム等）類から構成され、操作者からの指示をシステム制御部８を介してカメラ制御部３に送出する。
【００１７】
カメラ制御部３は、マイクロコンピュータ等により構成され、システム制御部８、操作部１３の指示等によりカメラ系全体を制御する。信号処理部５は、記録系信号処理部６と再生系信号処理部７とから構成され、システム制御部８の指示により、様々な、記録・再生信号処理を行う。
【００１８】
記録系信号処理部６は、カメラ信号処理部２から出力された信号に対して、所定の信号処理を施してＶＴＲブロック４に送出する。再生系信号処理部７は、ＶＴＲブロック４から出力された再生信号に所定の処理を施して画像変換部１０に送出する。また、再生系信号処理部７は、システム制御部８から送出される文字情報、印刷範囲枠表示情報を映像信号にミックスし、液晶パネル９に送出する。
【００１９】
ＶＴＲブロック４は、メカ部、メカ駆動部、マイクロコンピュータを中心とするメカ・サーボ制御部等から構成される。液晶パネル９は、映像信号を操作者に対して映像として表示するとともに、文字や記号による本体の各種情報の表示、メニュー設定時のガイド表示、印刷範囲枠表示等を行う。
【００２０】
画像変換部１０は、システム制御部８の指示により、再生系信号処理部７からの再生信号をプリンタが認識できる画像ファイル（例えばＪＰＥＧ画像）に変換し、無線通信Ｉ／Ｆ部１１への送出や記録媒体接続部１２に接続された記録媒体への記録・再生動作を行う。
【００２１】
無線通信Ｉ／Ｆ部１１は、高周波の無線通信の電波を送受信するアンテナ部、周波数変換部、変復調部から構成される。受信した高周波の信号は、周波数変換部において高周波信号から中間周波数の信号へとダウンコンバートされる。ダウンコンバートされたアナログ信号は、変復調部においてアナログ信号からデジタル信号へと復調され、システム制御部８へと送られる。
【００２２】
また、信号を送信するときは、システム制御部８から無線通信Ｉ／Ｆ部１１の変復調部にデータが送られ、デジタル信号から中間周波数のアナログ信号へと変調される。さらに、無線通信Ｉ／Ｆ部１１の周波数変換部において中間周波数から高周波数へとアップコンバートされた後、アンテナ部から電波として送信される。
【００２３】
記録媒体接続部１２は、カメラ本体に着脱可能に装着される外部記録媒体の接続部であり、システム制御部８からの制御により接触型のデータ通信が行われる。操作部１３は、ＶＴＲ系、及び装置全体に関する各種スイッチ（[↑],[→],[↓],[←]，[SET],[END],[PRINT],[MENU],[PLAY],[FF/REW],[STOP],[START/STOP]等）類から構成され、操作者からの指示をシステム制御部８に送出する。
【００２４】
図２は、上記構成のデジタルカメラ１Ａに対して無線通信によるデータの送信が可能なカード型の記録媒体（通信機器）２Ａの構成例を示すブロック図である。
【００２５】
この記録媒体２Ａは、デジタルカメラ１Ａの記録媒体接続部１２に対して接触型通信の接続を行うための端子２１と、デジタルカメラ１Ａの無線通信Ｉ／Ｆ１１との間で無線信号の送受信を行うためのアンテナ部２２とを備える。
【００２６】
また、記録媒体２Ａは、コントローラ２３及びフラッシュメモリ部２４を備えており、コントローラ２３は、端子２１やアンテナ部２２により送受信される信号の制御と、フラッシュメモリ部２４の制御とを行う。フラッシュメモリ部２４は、接触型通信と無線通信とによりアクセス可能なメモリ領域である。
【００２７】
本実施形態では、記録媒体２Ａのフラッシュメモリ部２４には、静止画撮影を行った場合に、静止画像、静止画像のサムネイル画像、及び撮影情報が記録される。また、フラッシュメモリ部２４のメモリ領域には、無線通信が可能な記録媒体を識別するためのＩＤが記録されており、デジタルカメラ１Ａは、記録媒体２Ａが無線通信で接続されたときはフラッシュメモリ部２４からこのＩＤを取得する。
【００２８】
ここで、本実施形態では、図３を参照して、デジタルカメラ１Ａは、記録媒体２Ａ（図のＮｏ．１）が無線通信で接続されたときに、一度の接続で記録媒体２Ａから取得する画像データを液晶パネル９の一画面に表示できるデータ量に制限する。
【００２９】
そして、デジタルカメラ１Ａは、記録媒体２Ａとの無線通信が切断されてから、再度同一の記録媒体２Ａが無線通信により接続された場合は、前記取得したデータの続きとなる液晶パネル９の一画面分のデータを記録媒体２Ａから取得する。
【００３０】
また、デジタルカメラ１Ａは、異なる記録媒体２Ａ（図のＮｏ．２）が無線通信により接続された場合は、液晶パネル９の一画面分の先頭のデータを記録媒体２Ａ（図のＮｏ．２）から取得する。
【００３１】
図４は、デジタルカメラ１Ａにおいて、記録媒体２Ａから無線通信によりデータを取得してから取得したデータを液晶パネル９に表示するまでの処理を説明するためのフローチャート図である。なお、図４での各処理は、デジタルカメラ１Ａの不図示の記憶手段（ＲＯＭやハードディスク等）に記憶された制御プログラムがＲＡＭにロードされて、システム制御部８のＣＰＵにより実行される。
【００３２】
まず、ステップＳ１０１では、システム制御部８は、記録媒体２Ａが無線通信で接続されたかを検出し、検出された場合は、ステップＳ１０２に進み、検出されない場合は、ステップＳ１１４に進む。
【００３３】
ステップＳ１０２では、システム制御部８は、記録媒体２Ａのフラッシュメモリ部２４に記録されているＩＤを取得する処理を実行し、ステップＳ１０３に進む。
【００３４】
ステップＳ１０３では、システム制御部８は、ステップＳ１０２でＩＤを取得できたか否かを判断し、取得できた場合は、ステップＳ１０４に進み、取得できない場合（初めて接続された記録媒体２Ａの場合）、ステップＳ１０９に進む。
【００３５】
ステップＳ１０９では、初めて接続された記録媒体２Ａの場合は、フラッシュメモリ部２４のメモリ領域にＩＤが記録されていないため、システム制御部８は、フラッシュメモリ部２４のメモリ領域にＩＤを記録する処理を行う。
【００３６】
即ち、ステップＳ１０９で、システム制御部８は、ＩＤを発行する。そして、ステップＳ１１０で、システム制御部８は、発行したＩＤを無線通信により記録媒体２Ａに送信して記録媒体２Ａのフラッシュメモリ部２４に記録する処理を行う。また、新規にＩＤを発行したため、ステップＳ１１１で、システム制御部８は、取得するデータのアドレスの初期化を行い、データの取得に備える。
【００３７】
一方、ステップＳ１０３で記録媒体２ＡのＩＤを取得できた場合は、ステップＳ１０４で、システム制御部（識別手段）８は、取得したＩＤが有効なＩＤか否かを判断する。ここでいう有効なＩＤとは、データを取得可能な状態になっている記録媒体２ＡのＩＤを意味する。ＩＤがあるにもかかわらず有効なＩＤではない場合は、過去にデジタルカメラ１Ａに無線通信により接続された実績のある記録媒体が改めて接続されたことを意味するため、ステップＳ１１１で、システム制御部８は、取得するデータのアドレスの初期化を行う。
【００３８】
ステップＳ１０４で、取得したＩＤが有効なＩＤの場合は、ステップＳ１０５において、システム制御部８は、無線通信により記録媒体２Ａから規定量のデータを取得する。このとき取得するデータの規定量は、本実施形態では、デジタルカメラ１Ａの液晶パネル９の一画面に表示できるデータ量であり、サムネイル画像、撮影日時、画像サイズなどの撮影情報から構成されるデータの量である。
【００３９】
次に、ステップＳ１０６で、システム制御部８は、規定量のデータの取得が完了したと判断すると、ステップＳ１０７では、液晶パネル９にデータを表示する表示制御処理を実行し、ステップＳ１０８に進む。  ステップＳ１０８では、システム制御部８は、記録媒体２Ａからの無線通信による次のデータの取得に備えてデータのアドレス情報を更新する。
【００４０】
図５は、デジタルカメラ１Ａが記録媒体２Ａから無線通信によりサムネイル画像を取得して液晶パネル９に表示する画面例を示す図である。
【００４１】
ここまでの処理で、一度の無線通信の接続による記録媒体２Ａからのデータ取得が終了し、システム制御部８は、ステップＳ１１２において、次のデータを取得するために無線通信の回線切断の検出待ちに入る。なお、システム制御部８は、無線通信の回線切断を検出しない限り、記録媒体２Ａからの無線通信による次のデータ取得処理へは移行しない。
【００４２】
ステップＳ１１２で無線通信の回線切断が検出されると、ステップＳ１１３において、システム制御部８は、タイマーのカウントを開始してステップＳ１０１に戻り、再び記録媒体２Ａの接続待ちに移行する。
【００４３】
そして、ステップＳ１０１及びステップＳ１１４において、設定した一定時間が経過しても記録媒体２Ａの無線通信による接続が検出されなかったときは、ステップＳ１１５において、システム制御部８は、記録媒体２ＡのＩＤを破棄して、ステップＳ１１６に進む。
【００４４】
ステップＳ１１６では、システム制御部８は、タイマーのカウントを停止してステップＳ１０１に戻り、一連のデータ取得動作を初期状態に戻す。
【００４５】
以上説明したように、本実施形態では、デジタルカメラ１Ａが記録媒体２Ａから一度の接続で無線通信により取得するデータ量を制限している。これにより、大容量データを持つ記録媒体２Ａからデータを取得する場合であっても、デジタルカメラ１Ａと記録媒体２Ａとの無線通信の接続時間を短くして記録媒体２Ａ側のデータをデジタルカメラ１Ａ側で迅速に確認することができる。
【００４６】
なお、本実施形態では、記録媒体２Ａの接続毎に該記録媒体２Ａから同一の種類のデータをデジタルカメラ１Ａが取得する場合を例示したが、例えば、図６に示すように、異なる種類のデータをデジタルカメラ１Ａが取得するようにしてもよい。また、記録媒体２Ａの接続毎に同一の種類のデータと異なるデータとを混在させてデジタルカメラ１Ａが取得するようにしてもよい。
【００４７】
また、本実施形態では、デジタルカメラ１Ａと記録媒体２Ａとの間の無線通信の回線が切断されてから一定期間を経過した場合には記録媒体２ＡのＩＤを破棄しているが、記録媒体２ＡのＩＤを破棄しなくてもよい。
【００４８】
更に、本実施形態では、液晶パネル９の一画面分の表示データを一定単位のデータとして記録媒体２Ａから取得しているが、一定の単位のデータとして液晶パネル９の複数画面分の表示データでも良く、画面に表示しないデータを含むデータであってもよい。
【００４９】
（第２の実施形態）
次に、図７及び図８を参照して、本発明の情報処理装置の第２の実施形態であるデジタルカメラについて説明する。なお、デジタルカメラ１Ａ及び記録媒体２Ａのハードウェア構成例は上記第１の実施形態と同様であるため、符号を流用してその説明を省略する。
【００５０】
本実施形態では、図７を参照して、デジタルカメラ１Ａに記録媒体２Ａ（図のＮｏ．１）が無線通信により接続されたときに、一度の接続で記録媒体２Ａから取得するデータを液晶パネル９の一画面に表示できる量のデータに制限する。
【００５１】
また、デジタルカメラ１Ａは、同一の記録媒体２Ａが一定期間接続された状態が維持されると、前記取得したデータの続きとなる液晶パネル９の一画面分のデータを記録媒体２Ａから取得する。
【００５２】
そして、デジタルカメラ１Ａは、記録媒体２Ａとの無線通信が切断されてから、同一の記録媒体２Ａが再接続されたときには前記取得したデータの続きとなる一画面分のデータを記録媒体２Ａから取得する。
【００５３】
また、デジタルカメラ１Ａは、異なる記録媒体２Ａ（図のＮｏ．２）が無線通信により接続されたときには、液晶パネル９の一画面分の先頭データを記録媒体２Ａ（図のＮｏ．２）から取得する。
【００５４】
図８は、デジタルカメラ１Ａが記録媒体２Ａから無線通信によりデータを取得してから取得したデータを液晶パネル９の画面に表示するまでの処理を説明するためのフローチャート図である。なお、図８での各処理は、デジタルカメラ１Ａの不図示の記憶手段（ＲＯＭやハードディスク等）に記憶された制御プログラムがＲＡＭにロードされて、システム制御部８のＣＰＵにより実行される。
【００５５】
まず、ステップＳ２０１では、システム制御部８は、記録媒体２Ａが無線通信で接続されたかを検出し、検出された場合は、ステップＳ２０２に進み、検出されない場合は、ステップＳ２１２に進む。
【００５６】
ステップＳ２０２では、システム制御部８は、記録媒体２Ａのフラッシュメモリ部２４に記録されているＩＤを取得する処理を実行し、ステップＳ２０３に進む。
【００５７】
ステップＳ２０３では、システム制御部８は、ステップＳ２０２でＩＤを取得できたか否かを判断し、取得できた場合は、ステップＳ２０４に進み、取得できない場合（初めて接続された記録媒体２Ａの場合）、ステップＳ２０９に進む。
【００５８】
ステップＳ２０９では、初めて接続された記録媒体２Ａの場合は、フラッシュメモリ部２４のメモリ領域にＩＤが記録されていないため、システム制御部８は、フラッシュメモリ部２４のメモリ領域にＩＤを記録する処理を行う。
【００５９】
即ち、ステップＳ２０９で、システム制御部８は、ＩＤを発行する。そして、ステップＳ２１０で、システム制御部８は、発行したＩＤを無線通信により記録媒体２Ａに送信して記録媒体２Ａのフラッシュメモリ部２４に記録する処理を行う。また、新規にＩＤを発行したため、ステップＳ２１１で、システム制御部８は、取得するデータのアドレスの初期化を行い、データの取得に備える。
【００６０】
一方、ステップＳ２０３で記録媒体２ＡのＩＤを取得できた場合は、ステップＳ２０４で、システム制御部８は、取得したＩＤが有効なＩＤか否かを判断する。ここでいう有効なＩＤとは、データを取得可能な状態になっている記録媒体２ＡのＩＤを意味する。ＩＤがあるにもかかわらず有効なＩＤではない場合は、過去にデジタルカメラ１Ａに無線通信により接続された実績のある記録媒体が改めて接続されたことを意味するため、ステップＳ２１１で、システム制御部８は、取得するデータのアドレスの初期化を行う。
【００６１】
ステップＳ２０４で、取得したＩＤが有効なＩＤの場合は、ステップＳ２０５において、システム制御部８は、無線通信により記録媒体２Ａから規定量のデータを取得する。このとき取得するデータの規定量は、本実施形態では、デジタルカメラ１Ａの液晶パネル９の一画面に表示できるデータ量であり、サムネイル画像、撮影日時、画像サイズなどの撮影情報から構成されるデータの量である。
【００６２】
次に、ステップＳ２０６では、システム制御部８は、規定量のデータの取得が完了したか否かを判断し、規定量のデータの取得が完了した場合は、ステップＳ２０７に進む。
【００６３】
ステップＳ２０７では、システム制御部８は、ステップＳ２０６で取得したデータを液晶パネル９に表示する表示制御処理を実行し、ステップＳ２０８に進む。
【００６４】
ステップＳ２０８では、システム制御部８は、記録媒体２Ａからの無線通信による次のデータの取得に備えてデータのアドレス情報を更新する。
【００６５】
ここまでの処理で、一度の無線通信の接続による記録媒体２Ａからのデータ取得が終了する。
【００６６】
次に、ステップＳ２１４では、システム制御部８は、タイマー１のカウントを開始し、記録媒体２Ａとデジタルカメラ１Ａとの間で無線通信による接続状態が継続している期間の確認が始まる。
【００６７】
そして、記録媒体２Ａとデジタルカメラ１Ａとの間の無線通信の回線が切断されない状態が一定期間維持されると（ステップＳ２１５のＮｏ，ステップＳ２１７のｙｅｓ）、システム制御部８は、ステップＳ２１８に進む。
【００６８】
ステップＳ２１８では、システム制御部８は、タイマー１のカウントを停止してステップＳ２０５に戻り、前記取得したデータの次のデータの取得処理を開始する。
【００６９】
また、タイマー１のカウント中に記録媒体２Ａとの間の無線通信の回線が切断されると（ステップＳ２１７のＮｏ，ステップＳ２１５のＹｅｓ）、システム制御部８は、ステップＳ２１９に進む。
【００７０】
ステップＳ２１９では、システム制御部８は、タイマー２のカウントを開始してステップＳ２０１に戻り、再び記録媒体２Ａの接続待ちに移行する。
【００７１】
そして、ステップＳ２０１及びステップＳ２１２において、設定した一定時間が経過しても記録媒体２Ａの無線通信による接続が検出されなかったときは、ステップＳ２１３において、システム制御部８は、記録媒体２ＡのＩＤを破棄して、ステップＳ２１６に進む。
【００７２】
ステップＳ２１６では、システム制御部８は、タイマー２のカウントを停止してステップＳ２０１に戻り、一連のデータ取得動作を初期状態に戻す。
【００７３】
なお、本実施形態では、記録媒体２Ａの接続毎に該記録媒体２Ａから同一の種類のデータをデジタルカメラ１Ａが取得する場合を例示したが、例えば、図９に示すように、異なる種類のデータをデジタルカメラ１Ａが取得するようにしてもよい。また、記録媒体２Ａの接続毎に同一の種類のデータと異なるデータとを混在させてデジタルカメラ１Ａが取得するようにしてもよい。
【００７４】
また、本実施形態では、デジタルカメラ１Ａと記録媒体２Ａとの間の無線通信の回線が切断されてから一定期間を経過した場合には記録媒体２ＡのＩＤを破棄しているが、記録媒体２ＡのＩＤを破棄しなくてもよい。
【００７５】
更に、本実施形態では、液晶パネル９の一画面分の表示データを一定単位のデータとして記録媒体２Ａから取得しているが、一定の単位のデータとして液晶パネル９の複数画面分の表示データでも良く、画面に表示しないデータを含むデータであってもよい。
【００７６】
（第３の実施形態）
次に、図１０及び図１１を参照して、本発明の情報処理装置の第３の実施形態であるデジタルカメラについて説明する。なお、デジタルカメラ１Ａ及び記録媒体２Ａのハードウェア構成例は上記第１の実施形態と同様であるため、符号を流用してその説明を省略する。
【００７７】
本実施形態では、図１０を参照して、デジタルカメラ１Ａに記録媒体２Ａが無線通信により接続されたときに、一度の接続で記録媒体２Ａからデジタルカメラ１Ａが取得するデータを液晶パネル９の一画面に表示できる量のデータに制限する。
【００７８】
そして、デジタルカメラ１Ａは、同一の記録媒体２Ａが無線通信により一定期間接続された状態が維持されると、前記取得したデータとは異なる種類の液晶パネル９の一画面分のデータを記録媒体２Ａから取得する。
【００７９】
また、デジタルカメラ１Ａは、記録媒体２Ａとの無線通信が切断されてから、同一の記録媒体２Ａが再接続されたときには、前記取得したデータの続きとなる液晶パネル９の一画面分のデータで、該取得したデータと同一種類のデータを記録媒体２Ａから取得する。
【００８０】
図１１は、デジタルカメラ１Ａが記録媒体２Ａから無線通信によりデータを取得してから取得したデータを液晶パネル９の画面に表示するまでの処理を説明するためのフローチャート図である。なお、図１１での各処理は、デジタルカメラ１Ａの不図示の記憶手段（ＲＯＭやハードディスク等）に記憶された制御プログラムがＲＡＭにロードされて、システム制御部８のＣＰＵにより実行される。
【００８１】
まず、ステップＳ３００では、デジタルカメラ１Ａに記録媒体２Ａが無線通信により接続されていない状態で、一種類目のデータの先頭データからデータ取得を開始するために、システム制御部８は、制御データを初期化（ｎ＝０，ｍ＝０）する。
【００８２】
ここで、制御データにおいて、ｎは取得するデータの種類を示す情報であり、ｍは、取得するデータのアドレスを示す情報である。より具体的には、ｎ＝０のときは、ｎはカード情報が取得するデータの種類を示し、ｎ＝１のときは、ｎはサムネイル画像が取得するデータの種類を示し、ｎ＝２のときは、ｎは画像（静止画像）が取得するデータの種類を示す。また、ｍ＝０のときは、ｍは１番目の画像A1を取得するためのアドレスを示し、ｍ＝１のときは、ｍは２番目の画像A2を取得するためのアドレスを示し、ｍ＝２のときは、ｍは３番目の画像A3を取得するためのアドレスを示す。
【００８３】
次に、ステップＳ３０１では、システム制御部８は、記録媒体２Ａが無線通信で接続されたかを検出し、検出された場合は、ステップＳ３０２に進み、検出されない場合は、ステップＳ３１２に進む。
【００８４】
ステップＳ３０２では、システム制御部８は、記録媒体２Ａのフラッシュメモリ部２４に記録されているＩＤを取得する処理を実行し、ステップＳ３０３に進む。
【００８５】
ステップＳ３０３では、システム制御部８は、ステップＳ３０２でＩＤを取得できたか否かを判断し、取得できた場合は、ステップＳ３０４に進み、取得できない場合（初めて接続された記録媒体２Ａの場合）、ステップＳ３０９に進む。
【００８６】
ステップＳ３０９では、初めて接続された記録媒体２Ａの場合は、フラッシュメモリ部２４のメモリ領域にＩＤが記録されていないため、システム制御部８は、フラッシュメモリ部２４のメモリ領域にＩＤを記録する処理を行う。
【００８７】
即ち、ステップＳ３０９で、システム制御部８は、ＩＤを発行する。そして、ステップＳ３１０で、システム制御部８は、発行したＩＤを無線通信により記録媒体２Ａに送信して記録媒体２Ａのフラッシュメモリ部２４に記録する処理を行う。また、新規にＩＤを発行したため、システム制御部８は、ステップＳ３１１で、取得するデータのアドレスの初期化、ステップＳ３２３で、制御データの初期化（ｎ＝０，ｍ＝０）を行って、データの取得に備える。
【００８８】
一方、ステップＳ３０３で記録媒体２ＡのＩＤを取得できた場合は、ステップＳ３０４で、システム制御部８は、取得したＩＤが有効なＩＤか否かを判断する。ここでいう有効なＩＤとは、データを取得可能な状態になっている記録媒体２ＡのＩＤを意味する。ＩＤがあるにもかかわらず有効なＩＤではない場合は、過去にデジタルカメラ１Ａに無線通信により接続された実績のある記録媒体が改めて接続されたことを意味する。このため、システム制御部８は、ステップＳ３１１及びステップＳ３２３で、取得するデータのアドレスの初期化及び制御データの初期化（ｎ＝０，ｍ＝０）を行う。
【００８９】
ステップＳ３０４で、取得したＩＤが有効なＩＤの場合は、ステップＳ３０５において、システム制御部８は、無線通信により記録媒体２Ａから規定量のデータを取得する。このとき取得するデータの規定量は、本実施形態では、デジタルカメラ１Ａの液晶パネル９の一画面に表示できるデータ量であり、サムネイル画像、撮影日時、画像サイズなどの撮影情報から構成されるデータの量である。
【００９０】
次に、ステップＳ３０６では、システム制御部８は、規定量のデータの取得が完了したか否かを判断し、規定量のデータの取得が完了した場合は、ステップＳ３０７に進む。
【００９１】
ステップＳ３０７では、システム制御部８は、ステップＳ３０５で取得したデータを液晶パネル９に表示する表示制御処理を実行し、ステップＳ３０８に進む。
【００９２】
ステップＳ３０８では、システム制御部８は、記録媒体２Ａからの無線通信による次のデータの取得に備えてデータのアドレス情報を更新する。
【００９３】
ここまでの処理で、一度の無線通信の接続による記録媒体２Ａからのデータ取得が終了する。
【００９４】
次に、ステップＳ３１４では、システム制御部８は、タイマー１のカウントを開始し、記録媒体２Ａとデジタルカメラ１Ａとの間で無線通信による接続状態が継続している期間の確認が始まる。
【００９５】
そして、記録媒体２Ａとデジタルカメラ１Ａとの間の無線通信の回線が切断されない状態が一定期間維持されると（ステップＳ３１５のＮｏ，ステップＳ３１７のｙｅｓ）、システム制御部８は、ステップＳ３１８に進む。
【００９６】
ステップＳ３１８では、システム制御部８は、タイマー１のカウントを停止してステップＳ３０５に戻り、前記取得したデータの次の同一種類のデータの取得処理を開始する。
【００９７】
また、タイマー１のカウント中に記録媒体２Ａとの間の無線通信の回線が切断されると（ステップＳ３１７のＮｏ，ステップＳ３１５のＹｅｓ）、システム制御部８は、ステップＳ３１９に進む。
【００９８】
ステップＳ３１９では、システム制御部８は、タイマー２のカウントを開始し、ステップＳ３２２に進む。
【００９９】
ステップＳ３２２では、システム制御部８は、次に取得するデータの種類の設定を更新してステップＳ３０１に戻り、再び記録媒体２Ａの接続待ちに移行する。
【０１００】
そして、ステップＳ３０１及びステップＳ３１２において、設定した一定時間が経過しても記録媒体２Ａの無線通信による接続が検出されなかったときは、ステップＳ３１３において、システム制御部８は、記録媒体２ＡのＩＤを破棄して、ステップＳ３１６に進む。
【０１０１】
ステップＳ３１６では、システム制御部８は、タイマー２のカウントを停止してステップＳ３２１に進む。
【０１０２】
ステップＳ３２１では、システム制御部８は、制御データを初期化（ｎ＝０，ｍ＝０）して、ステップＳ３０１に戻り、一連のデータ取得動作を初期状態に戻す。
【０１０３】
なお、本実施形態では、デジタルカメラ１Ａと記録媒体２Ａとの間の無線通信の回線が切断されてから一定期間を経過した場合には記録媒体２ＡのＩＤを破棄しているが、記録媒体２ＡのＩＤを破棄しなくてもよい。
【０１０４】
また、本実施形態では、液晶パネル９の一画面分の表示データを一定単位のデータとして記録媒体２Ａから取得しているが、一定の単位のデータとして液晶パネル９の複数画面分の表示データでも良く、画面に表示しないデータを含むデータであってもよい。
【０１０５】
（第４の実施形態）
次に、図１２〜図１５を参照して、本発明の情報処理装置の第４の実施形態であるプリンタについて説明する。なお、本実施形態では、プリンタとの間で無線通信を行う通信機器として、携帯電話機を例に採る。
【０１０６】
本実施形態は、図１２を参照して、携帯電話機２０Ａの内蔵メモリに記録されている静止画像を無線通信によりプリンタ１０Ａが取得して印刷する際に、携帯電話機２０Ａとの一度の無線通信による接続で取得するデータを印刷する用紙一枚分に制限している。
【０１０７】
また、プリンタ１０Ａは、携帯電話機２０Ａとの無線通信回線が切断されてから再度同一の携帯電話機が無線通信により接続されたときには、前記取得したデータの続きとなる印刷用紙一枚分のデータを取得する。
【０１０８】
更に、プリンタ１０Ａは、携帯電話機２０Ａとの無線通信回線が切断されてから異なる携帯電話機などの通信機器が無線通信により接続されたときには、該通信機器のデータ記憶領域から先頭データを取得する。
【０１０９】
図１３は、本発明の情報処理装置の第４の実施形態であるプリンタを説明するためのブロック図である。
【０１１０】
プリンタ１０Ａは、図１３に示すように、無線通信Ｉ／Ｆ３１、システム制御部３２、操作部３３、プリンタ駆動部３４及びプリンタユニット３５を備える。
【０１１１】
無線通信Ｉ／Ｆ部３１は、高周波の無線通信の電波を送受信するアンテナ部、周波数変換部、変復調部から構成される通信機能ブロックである。システム制御部３２は、操作部３３の操作、または、無線Ｉ／Ｆ部３１からの通信データに応じてプリンタ駆動部３４を制御するブロックである。
【０１１２】
操作部３３は、操作スイッチ、電源スイッチ、液晶パネルなどから構成されるユーザの操作の窓口となる操作ブロックである。プリンタ駆動部３４は、プリンタユニット３５を動作させるための駆動部である。プリンタユニット３５は、印刷を行うブロックであり、システム制御部３２の制御によりプリンタ駆動部３４を介して動作する。
【０１１３】
図１４は、携帯電話機の構成例を示すブロック図である。
【０１１４】
携帯電話機２０Ａは、図１４に示すように、無線通信Ｉ／Ｆ４１、システム制御部４２、操作部４３、電話機能ブロック４４、マイク４５、スピーカ４６及びメモリ部４７を備える。
【０１１５】
無線通信Ｉ／Ｆ部４１は、  高周波の無線通信の電波を送受信するアンテナ部と、周波数変換部、変復調部から構成される通信機能ブロックである。システム制御部４２は、操作部４３の操作、または、無線Ｉ／Ｆ部４１からの通信に応じてメモリ部４７、電話機能ブロック４４を制御するブロックである。システム制御部４２は、無線通信Ｉ／Ｆ部４１による通信制御を行う場合は、メモリ部４７へのデータアクセスを行い、取得したデータを無線通信Ｉ／Ｆ部４１から送信する。
【０１１６】
操作部４３は、操作スイッチ、電源スイッチ、液晶パネルなどから構成されるユーザの操作の入力部となる操作ブロックである。電話機能ブロック４４は、携帯電話機としての機能全般を担う機能ブロックであり、マイク４５とスピーカ４６とを制御することによって通話を実現する。マイク４５は、音声を入力するブロックであり、スピーカ４６は音声を出力するブロックである。
【０１１７】
図１５は、プリンタ１０Ａが携帯電話機２０Ａから無線通信によりデータを取得して、印刷を行うまでの処理を説明するためのフローチャート図である。なお、図１５での各処理は、プリンタ１０Ａの不図示の記憶手段（ＲＯＭやハードディスク等）に記憶された制御プログラムがＲＡＭにロードされて、システム制御部３２のＣＰＵにより実行される。
【０１１８】
まず、ステップＳ４０１では、システム制御部３２は、携帯電話機２０Ａが無線通信で接続されたかを検出し、検出された場合は、ステップＳ４０２に進み、検出されない場合は、ステップＳ４１２に進む。
【０１１９】
ステップＳ４０２では、システム制御部３２は、携帯電話機２０Ａのメモリ部４７に記録されているＩＤを取得する処理を実行し、ステップＳ４０３に進む。
【０１２０】
ステップＳ４０３では、システム制御部３２は、ステップＳ４０２でＩＤを取得できたか否かを判断し、取得できた場合は、ステップＳ４０４に進み、取得できない場合（初めて接続された記録媒体２Ａの場合）、ステップＳ４０９に進む。
【０１２１】
ステップＳ４０９では、初めて接続された携帯電話機２０Ａの場合は、メモリ部４７のメモリ領域にＩＤが記録されていないため、システム制御部３２は、メモリ部４７のメモリ領域にＩＤを記録する処理を行う。
【０１２２】
即ち、ステップＳ４０９で、システム制御部３２は、ＩＤを発行する。そして、ステップＳ４１０で、システム制御部３２は、発行したＩＤを無線通信により携帯電話機２０Ａに送信して携帯電話機２０Ａのメモリ部４７に記録する処理を行う。また、新規にＩＤを発行したため、ステップＳ４１１で、システム制御部３２は、取得するデータのアドレスの初期化を行い、データの取得に備える。
【０１２３】
一方、ステップＳ４０３で携帯電話機２０ＡのＩＤを取得できた場合は、ステップＳ４０４で、システム制御部３２は、取得したＩＤが有効なＩＤか否かを判断する。ここでいう有効なＩＤとは、データを取得可能な状態になっている携帯電話機２０ＡのＩＤを意味する。ＩＤがあるにもかかわらず有効なＩＤではない場合は、過去にプリンタ１０Ａに無線通信により接続された実績のある携帯電話機が改めて接続されたことを意味するため、ステップＳ４１１で、システム制御部３２は、取得するデータのアドレスの初期化を行う。
【０１２４】
ステップＳ４０４で、取得したＩＤが有効なＩＤの場合は、ステップＳ４０５において、システム制御部３２は、無線通信により携帯電話機２０Ａから規定量のデータを取得する。このとき取得するデータの規定量は、本実施形態では、プリンタ１０Ａで印刷する一枚の用紙に印刷するデータ量であり、サムネイル画像や、撮影日時、画像サイズなどの撮影情報から構成されるデータの量である。
【０１２５】
次に、ステップＳ４０６では、システム制御部３２は、規定量のデータの取得が完了したか否かを判断し、完了した場合は、ステップＳ４０７に進む。
【０１２６】
ステップＳ４０７では、システム制御部３２は、プリンタ駆動部３４を制御してプリンタユニット３５によりステップＳ４０５で取得したデータの印刷処理を行い、ステップＳ４０８に進む。
【０１２７】
ステップＳ４０８では、システム制御部３２は、携帯電話機２０Ａからの無線通信による次のデータの取得に備えてデータのアドレス情報を更新する。
【０１２８】
ここまでの処理で、一度の無線通信の接続による携帯電話機２０Ａからのデータ取得が終了し、システム制御部３２は、ステップＳ４１４において、次のデータを取得するために無線通信の回線切断の検出待ちに入る。なお、システム制御部３２は、無線通信の回線切断を検出しない限り、携帯電話機２０Ａからの無線通信による次のデータ取得処理へは移行しない。
【０１２９】
ステップＳ４１４で無線通信の回線切断が検出されると、ステップＳ４１５において、システム制御部３２は、タイマーのカウントを開始してステップＳ４０１に戻り、再び携帯電話機２０Ａの接続待ちに移行する。
【０１３０】
そして、システム制御部３２は、ステップＳ４０１及びステップＳ４１２において、設定した一定時間が経過しても携帯電話機２０Ａの無線通信による接続が検出されなかったときは、ステップＳ４１３に進む。
【０１３１】
ステップＳ４１３では、システム制御部３２は、携帯電話機２０ＡのＩＤを破棄して、ステップＳ４１６に進む。
【０１３２】
ステップＳ４１６では、システム制御部３２は、タイマーのカウントを停止してステップＳ４０１に戻り、一連のデータ取得動作を初期状態に戻す。
【０１３３】
以上説明したように、本実施形態では、プリンタ１０Ａが携帯電話機２０Ａから一度の接続で無線通信により取得するデータ量を制限している。これにより、大容量データを持つ携帯電話機２０Ａからデータを取得する場合であっても、プリンタ１０Ａと携帯電話機２０Ａとの無線通信の接続時間を短くして携帯電話機２０Ａ側のデータをプリンタ１０Ａ側で迅速に確認することができる。
【０１３４】
なお、本実施形態では、携帯電話機２０Ａの接続毎に該携帯電話機２０Ａから同一の種類のデータをプリンタ１０Ａが取得する場合を例示したが、異なる種類のデータをプリンタ１０Ａが取得するようにしてもよい。また、携帯電話機２０Ａの接続毎に同一の種類のデータと異なるデータとを混在させてプリンタ１０Ａが取得するようにしてもよい。
【０１３５】
また、本実施形態では、プリンタ１０Ａと携帯電話機２０Ａとの間の無線通信の回線が切断されてから一定期間を経過した場合には携帯電話機２０ＡのＩＤを破棄しているが、携帯電話機２０ＡのＩＤを破棄しなくてもよい。
【０１３６】
更に、本実施形態では、用紙一枚分の印刷データを一定単位のデータとして携帯電話機２０Ａから取得しているが、一定の単位のデータとして複数枚分の用紙の印刷データでも良く、印刷されないデータを含むデータであってもよい。
【０１３７】
更に、本実施形態では、プリンタ１０Ａと携帯電話機２０Ａとの間の無線通信の回線が切断された後、再接続されてから再び一定量のデータを取得している。しかし、上記第２及び第３の実施形態のように、データアドレス更新後、携帯電話機２０Ａとの接続が一定期間継続した場合は、データ取得を開始するシーケンスとしてもよい。
【０１３８】
なお、本発明は、上記各実施形態に例示したものに限定されるものではなく、本発明の要旨を逸脱しない範囲において適宜変更可能である。
【０１３９】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【０１４０】
この場合、記憶媒体から読み出されたプログラムコード自体が前述した実施の形態の機能を実現することになり、そのプログラムコード及び該プログラムコードを記憶した記憶媒体は本発明を構成することになる。
【０１４１】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【０１４２】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【０１４３】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【０１４４】
【図１】本発明の情報処理装置の第１の実施形態であるデジタルカメラを説明するためのブロック図である。
【図２】デジタルカメラに対して無線通信によるデータの送信が可能なカード型の記録媒体の構成例を示すブロック図である。
【図３】デジタルカメラの動作例を概略的に説明するための説明図である。
【図４】デジタルカメラにおいて、記録媒体から無線通信によりデータを取得してから取得したデータを液晶パネルに表示するまでの処理を説明するためのフローチャート図である。
【図５】デジタルカメラが記録媒体から無線通信によりサムネイル画像を取得して液晶パネルに表示する画面例を示す図である。
【図６】記録媒体の接続毎に該記録媒体から異なる種類のデータをデジタルカメラが取得する例を説明するための説明図である。
【図７】本発明の情報処理装置の第２の実施形態であるデジタルカメラについて説明するための図である。
【図８】デジタルカメラが記録媒体から無線通信によりデータを取得してから取得したデータを液晶パネルの画面に表示するまでの処理を説明するためのフローチャート図である。
【図９】記録媒体の接続毎に該記録媒体から異なる種類のデータをデジタルカメラが取得する例を説明するための説明図である。
【図１０】本発明の情報処理装置の第３の実施形態であるデジタルカメラについて説明するための図である。
【図１１】デジタルカメラが記録媒体から無線通信によりデータを取得してから取得したデータを液晶パネルの画面に表示するまでの処理を説明するためのフローチャート図である。
【図１２】本発明の情報処理装置の第４の実施形態であるプリンタについて説明するための図である。
【図１３】プリンタの構成例を説明するためのブロック図である。
【図１４】携帯電話機の構成例を説明するためのブロック図である。
【図１５】プリンタが携帯電話機から無線通信によりデータを取得して、印刷を行うまでの処理を説明するためのフローチャート図である。
【符号の説明】
【０１４５】
１Ａ  デジタルカメラ
１    撮像部
２    カメラ信号処理部
３    カメラ制御部
４    ＶＴＲブロック
５    信号処理部
６    記録系信号処理部
７    再生系信号処理部
８    システム制御部
９    液晶パネル
１０  画像変換部
１１  無線通信Ｉ／Ｆ部
１２  記録媒体接続部
１３  操作部
２Ａ  記録媒体
２１  端子
２２  アンテナ部
２３  コントローラ
２４  フラッシュメモリ部
１０Ａ  プリンタ
３１  無線通信Ｉ／Ｆ
３２  システム制御部
３３  操作部
３４  プリンタ駆動部
３５  プリンタユニット
２０Ａ  携帯電話機
４１  無線通信Ｉ／Ｆ
４２  システム制御部
４３  操作部
４４  電話機能ブロック
４５  マイク
４６  スピーカ
４７  メモリ部
【図１】
2009302656.tif 000003
【図２】
2009302656.tif 000004
【図３】
2009302656.tif 000005
【図４】
2009302656.tif 000006
【図５】
2009302656.tif 000007
【図６】
2009302656.tif 000008
【図７】
2009302656.tif 000009
【図８】
2009302656.tif 000010
【図９】
2009302656.tif 000011
【図１０】
2009302656.tif 000012
【図１１】
2009302656.tif 000013
【図１２】
2009302656.tif 000014
【図１３】
2009302656.tif 000015
【図１４】
2009302656.tif 000016
【図１５】
2009302656.tif 000017